(57)【要約】【課題】  別部品にエンブレムを貼り付ける際、別部品に分解用の穴を形成しなければならない。しかし、別部品に分解用の穴を形成せしめると外観面にウエルド、ヒケが発生してしまう。【解決手段】  エンブレムを別部品に貼り付けたとき分解用の穴を設けず、比較的容易にエンブレムを剥がせるようにせしめ、かつ貼り付けたとき適度の粘着力を保てるように別部材のエンブレム貼り付け形状を提供する。【選択図】  図１
2007229926.tif 000002
【特許請求の範囲】
【請求項１】
一方の面に接着材を有したエンブレムの薄板を貼付けるための外観部材であって、該部材の外観面に上記薄板形状に対応した貼り付け凹部を形成し、該凹部の第一の面を上記薄板と平行となる接着面とし、第二の面を上記薄板に対して予め定めた角度をもたせ、２分割したことを特長とする外観部材。
【請求項２】
前記薄板と並行となる第一の面は前記予め定めた角度を持たせた第二の面より広いことを特長とする請求項１に記載の外観部材。
【請求項３】
前記第一の面は、前記第二の面との切り替え部近くで凸形状をなし、かつ、長手方向にむけて接着面積が小さくなるようにしたことを特長とする請求項１又は請求項２に記載の外観部材。
【請求項４】
前記接着面は略コの字形状を呈したことを特長とする請求項１〜請求項３のいずれかに記載の外観部材。
【請求項５】
前記略コの字形状底面を上記二面の切り替え部に略一致せしめたことを特長とする請求項４に記載の外観部材。
【発明の詳細な説明】
【技術分野】
【０００１】
本発明は、プリンタ、複写機、ワープロ、パーソナルコンピュータ、ファクシミリ等の電子機器に関し、特に外観部材でエンブレム等の薄板部材を貼り付けるところの形状に関するものである。
【背景技術】
【０００２】
従来、プリンタ等の記録装置は図１5に示すように、プリンタユニット（不図示）を内部に有する本体２３（以下「プリンタユニット」と「本体」を総称して、「プリンタ」と呼ぶ場合もある）とオペレータが種種の操作を行うための操作パネル２４からなり、特に操作パネル２４には種種の情報を視覚的にオペレータに知らせるための表示装置２５が回動自在に取り付けられる。
【０００３】
印刷を行う場合、オペレータがボトムフレーム２６の所定の位置に回動自在に取り付けられているフロントドア２１を回転させると、本体前面に開口部が形成し、フロントドア２１が所定の角度を持って保持される。また、フロントドア２１の内部には複数の排紙トレイ（不図示）が格納されているので、オペレータは該排紙トレイを引き出し、排紙積載面を形成する。次に印刷動作を開始すると印字された用紙がプリンタから排出し、上記形成された排紙積載面に順次積載される。
【０００４】
ところで、図１５及び図１6に示すようにフロントドア２１の前面にはプリンタの機種名等を表示するための薄板部材２２（以下「エンブレム」という場合もある）が取り付けられることが少なくない。他に操作パネル２４や不図示のアクセスカバー（オペレータがインクタンクあるいはインクカートリッジを脱着するために回動させる部品）など、外観部品に取り付けられる場合も少なくない。エンブレム２２はデザイン的要素が強い部品で、通常オペレータの一番目のいく場所に取り付けられており、その装置の「顔」となるべく重要な部品でもある。
【０００５】
図１６は従来のフロントドアの透過斜視図である。
【０００６】
フロントドア２１の前面にはエンブレム２２の外形及び厚さとほぼ同等の凹形状が形成される。エンブレム２２の表面には機種名あるいはロゴ等が表記されており、裏面には両面テープ等の粘着材が貼り付けられている。前記粘着材によりエンブレム２２は上記フロントドア２１の凹形状に貼り付ける。
【０００７】
ところで、フロントドア２１の凹形状には貫通穴２１ａが形成される。該貫通穴２１ａは分解の際ドライバー等の先端を貫通穴２１ａに挿入し、エンブレム２２の背後を押し出し、フロントドア２１よりエンブレム２２を剥離（脱落）せしめるものである。
【０００８】
又、別の従来例としては、特許文献１及び特許文献２をあげることが出来る。
【特許文献１】特開平０８−032245号公報
【特許文献２】特開2003-218548号公報
【発明の開示】
【発明が解決しようとする課題】
【０００９】
（１）上記従来例によれば、上記貫通穴２１ａを形成せしめることによって、金型で射出成形したとき該貫通穴２１ａの影響により材料の流動が悪化し、フロントドア２１の外観面にヒケやウエルドライン２１ｂが発生してしまう。また、ウエルドライン２１ｂを防ぐため、貫通穴２１ａの外形を小さくしてしまうと先端の細い工具を用意しなければならないし、剥離するための押出し力が大きくなってしまう。
【００１０】
（２）また、特開平０８−032245によれば、貼り付け部材の外周に切欠きを設けるため、貼り付け部材を剥離するためには、やはり先端が薄くて平らな工具を用意しなければならないし、さらに厚み方向のスペースが少ないため、工具を挿入するのが困難であった。
【００１１】
（３）あるいは、特開2003-218548によれば、被貼り付け部材の肉厚の一部を極めて薄くし、該肉薄部を突き破り貼り付け部材を押し出す手段のため、被貼り付け部材の薄肉部により成形時材料の流動に支障をきたすばかりでなく、貼り付け部材を剥離するために薄肉部を突き破る大きな押し出し力が必要であった。
以上のような問題点があった。
【課題を解決するための手段】
【００１２】
上記課題を解決するために本発明の代表的な構成は、
一方の面に接着材を有したエンブレム等の薄板を貼付ける外観部材で、該外観部材の外観面に上記薄板を貼り付けるための凹部を形成し、該凹部の一方の底面を上記薄板と平行となる接着面とし、他方の面を上記薄板に対して所定の角度をもたせ２分割した薄板貼り付け形状を形成し、前記並行となる接着面は前記所定の角度を持たせた面より広く形成せしめ、前記平行となる面で、凹部長手方向に対して前記所定の角度を持たせた面と逆側に向けて前記接着面の接着面積が小さくなるようにせしめた。
【発明の効果】
【００１３】
上記構成によれば、
エンブレムを貼り付ける外観部材（被貼り付け部材）の外観面の美観を損なうことなく、またエンブレムを外観部材より剥離するための工具等を使用することなく、容易に外観部材よりエンブレムを剥離することができ、かつ確実に外観部材にエンブレムを貼り付けることができる。すなわち分解・リサイクル性に優れた電子機器を提供することができる。
【発明を実施するための最良の形態】
【００１４】
次に、本発明の詳細を実施例の記述に従って説明する。
【実施例１】
【００１５】
本発明における記録装置の実施形態について説明する。
【００１６】
図１は本発明に係る記録装置の斜視図である。
【００１７】
同図において１はフロントドア（被貼り付け部材）、２はエンブレム等の薄板で裏面には両面テープが貼り付けてある、３はフロントドア１を開くためのロック解除ボタン、４はフロントカバーL、５はフロントカバーR、６はサイドカバーL、７はサイドカバーRでいずれも外観（外装）部材である。８はメモリーカード挿入口を覆うカードカバー、９は操作パネル、１０は表示装置（以下「LCD」と呼ぶ場合もある）である。
【００１８】
図２は本発明に係る記録装置の斜視図であり、各主要部品を開いたときを示すものである。
【００１９】
同図において１１は両面原稿読み取り装置（以下「ADF」あるいは「ＡＤＦユニット」と呼ぶ場合もある）、１２はADFカバー、１３はADFトレイ、１４は前記ＡＤＦユニット１１を取り付けるADFベース、１５は上記フロントドア１と組合わされることによってプリンタより排出される用紙を積載するバックカバー、１６は補助トレイである。
【００２０】
本記録装置はパソコン等の情報機器から送られたデータ等を印刷するばかりでなく、ADF１１の下部に装着されるスキャナーユニット（不図示）により原稿を読み取り印刷することも可能である。また、複数の原稿をADF１１にセットしADF１１で搬送された原稿を前記スキャナーユニット（不図示）で読み取り、それらを印刷することも可能である。さらにはスキャナーユニット（不図示）で読み取った原稿の文字、画像等をFAXとして送信できる記録装置（以下「MFP」と呼ぶ場合もある。）である。
【００２１】
図３は本発明を実施したフロントドアの透過斜視図である。
【００２２】
補助トレイ１６が回転自在に保持されたバックカバー１５が不図示の係合爪によってフロントドア１の背面に取り付けられる。これらの部品が組み合わさり、フロントドアユニット（以下「フロントドア」と呼ぶ場合もある。）を構成し後述するボトムフレームに回転自在に取り付けられる。印字する際は後述するロック解除機構によって自動的にフロントドア１が回動し、用紙積載面を形成する。
【００２３】
図４は本発明を実施したフロントドアの斜視図である。
【００２４】
フロントドア１の正面にはエンブレム２を貼り付ける凹形状が形成される。両側面には後述するボトムフレームの回転軸受け部に挿入される回転軸１ｅ及び１ｆが形成される。次に、上記凹形状を拡大し詳細説明をする。
【００２５】
図５は図４におけるS１部拡大斜視図である。
【００２６】
凹形状は面１ａ及び面１ｂの２面で形成される。面１ｂはエンブレム２の表面と平行に形成し、面１ａは面１ｂに対して約１５°の傾斜を呈する。さらに、面１ｂにはコの字形状を呈する両面テープ接着面（以下「接着面」と呼ぶ場合もある。）１ｃが形成される。接着面１ｃの凸量（段差）は微小で、凹形状に対して長手方向の面１ｃと短手方向の面１ｅからなる。稜線１ｃａは凹形状で、面１ｂ及び接着面１ｃが斜面１ａより広く（長く）なるような位置に形成される。
【００２７】
ところで、エンブレム２の厚さ（粘着テープの厚さを含む）をｔｅ(図１１参照)とし、フロントドア１の外観面１ｓと両面テープ貼り付け面１ｃとの距離（深さ）をｈｆとすると、
ｈｆ≧ｔｅ
となる。
【００２８】
図６はフロントドア１を本体の下部に構成するボトムフレーム１７に取り付けた状態を示す斜視図で、ここではフロントドア開閉機構を説明するものである（主要な部品のみ表示してある）。
【００２９】
フロントドア１の右端回転軸１ｆは図６に示されるように、ボトムフレーム１７の前面に形成された軸受け部１７ｂに挿入され、左端回転軸１ｅはボトムフレーム１７の左側面１ａに装着された回転力減衰装置２６（以下「ダンパー」と呼ぶ場合もある。）の回転軸に係合される。フロントドア１の左上部には凹部（不図示）が形成され、ミドルフレーム（不図示）に装着されたロック解除機構により係合される。該ロック解除機構は電磁ソレノイド１７、電磁ソレノイド１９に連結されたロックピン１８、ロック解除ボタン３及び不図示のバネによって構成される。
【００３０】
上記構成において印刷を開始すると電磁ソレノイド１７が図中左方向にロックピン１８を移動させ、フロントドアは自重により図中手前側に倒れる。フロントドア１の左側面下部にはダンパー２６が連結されているので、フロントドア１はゆっくりと回転し、所定の位置まで回転したらそこで保持される。また、ロック解除ボタン３を押圧することにより、ロックピン１８を図中左方向に移動させることもできるので、いつでも手動でフロントドアを回動せしめることができる。
【００３１】
図７は図６におけるA―A断面図であり、本発明を実施したエンブレム貼り付け形状を示す模式図である。エンブレム２の裏面には粘着テープ２０（以下「両面テープ」と呼ぶ場合がある。）が貼り付けてあり（図１２参照）、両面テープ２０はフロントドア１の接着面１ｃに接着される。
【００３２】
図８は図７におけるＳ２部拡大図である。
【００３３】
エンブレム２の底面から接着面１ｃの稜線１ｃａまでの距離をｌ１、稜線１ｃａからエンブレム２の天面までの距離をｌ２とすると、
ｌ１  ≦  ｌ２
となる。
【００３４】
エンブレム２の下部を図中矢印ｒｂ方向に押圧すると、稜線１ｃａを回転軸（支点）としエンブレム２の上部が図中矢印ｒｔ方向に回転しはじめる。さらにエンブレム２を押圧し続けエンブレム２の裏面と斜面１ａまでの距離ｌｔまで押圧すると、図９に示すような位置までエンブレム２が回転するので、指でエンブレム２をフロントドア１より剥離することができる。さらに詳しくは、ｈｆ＜ｌｂの関係にせしめれば、エンブレム２の剥がれ量ｌｔは１ｃａを支点としｌ１とｌ２のテコ比で  ｌｔ＞＞ｌｂとなるので
人の指で十分に剥離できる程度フロントカバー１より浮き上がらせることができる。
【００３５】
図１０は本発明を実施したフロントドアユニットの斜視図である。前述したようにフロントカバー１は不図示の係合爪により、バックカバー１５と一体化される。バックカバー１５の先端には回転軸（不図示）が形成され、そこに補助トレイ１６の回転軸受け（不図示）が挿入され、補助トレイ１６は図中矢印方向に回転が可能である。
【００３６】
図１１は本発明に関わるエンブレムの透過斜視図であり、外観面（表面）より見た場合のものである。
【００３７】
エンブレム２はプラスチック材料（樹脂材料）で成形され、裏面にブランド名１ａおよびブランドマーク１ｂを掘り込んである。また、裏面より塗料を吹きかけることによりブランド名およびブランドマークが立体的に見えるよう工夫される。本発明におけるエンブレム２の板厚ｔｅは約２ｍｍであるが、エンブレム２の板厚ｔｅは１．５ｍｍから２．５ｍｍが好適である。
【００３８】
図１２は本発明に関わるエンブレムの透過斜視図であり、非外観面（裏側）より見た場合のものである。裏面はエンブレム２の最外郭よりやや内側に極微小な凸２ｃが形成され、その一部に粘着テープ２０が貼り付けられる。なお、ここでは図示しないが、粘着テープ２０の片面（フロントドア１に貼り付ける側）には剥離紙が付いており、エンブレム２をフロントドア１に貼り付ける直前に前記剥離紙を剥がすようになっている。
【実施例２】
【００３９】
図１３は他の実施例１を示す記録装置の斜視図である。同図において、２７はエンブレムである。
【００４０】
上記実施例においては、縦長形状のエンブレム１をフロントドアに貼り付ける方法を説明した。しかしながら、図１３に示すように横長形状のエンブレム２７をフロントドア２８に貼り付けた場合でも、分解の際は容易にフロントドア２８よりエンブレム２７を剥離することができる。すなわち、前記実施例で示したフロントドア１の凹形状を左右どちらかに９０°回転せしめて形成せしめればよい。これにより、エンブレム２７の左右どちらかを押圧すれば、その反対側がフロントドア２８より浮き上がるので、そこを指で引っ掛け手前側に引けばエンブレム２７をフロントドア２８より完全に剥離することができる。
【実施例３】
【００４１】
上記実施例及び実施例２においては、それぞれ縦長形状のエンブレム、横長形状のエンブレムをフロントドアに粘着、剥離する手段を述べた。
【００４２】
図１４は実施例３における記録装置の斜視図である。同図において２９はエンブレムである。
【００４３】
上記エンブレム２９のように変形の薄板部材においても、上記説明した同様の手段でエンブレム２９をフロントカバー３０より脱着することができる。また、同様にして円形、三角形等のさまざまな形状のエンブレムに対しても本発明を適用することが可能である。
【００４４】
また、上記実施例では外観部材としてフロントドアを例にあげて説明してきたが、例えばフロントカバーＬ４、フロントカバーＲ５等あらゆる外観部材に適用することができる。
【図面の簡単な説明】
【００４５】
【図１】本発明を実施した記録装置の斜視図（主要部品を閉じた状態）。
【図２】本発明を実施した記録装置の斜視図（主要部品を開いた状態）。
【図３】本発明を実施したフロントドア（外観部材）の透過斜視図。
【図４】本発明を実施したフロントドア（外観部材）の斜視図。
【図５】本発明を実施したフロントドア（外観部材）でエンブレム貼り付け箇所を拡大した斜視図。
【図６】本発明を実施した記録装置でフロントドアを本体に取り付けたところの斜視図。
【図７】図６におけるＡーＡ断面図。
【図８】本発明を実施したフロントドアでエンブレム貼り付け位置の拡大図（図７におけるS2部拡大図）。
【図９】本発明を実施したフロントドアよりエンブレムを取り外すときの模式図。
【図１０】本発明を実施したフロントドアユニットの斜視図。
【図１１】本発明で使用されるエンブレムの透過斜視図で外観面側よりみたところ。
【図１２】本発明で使用されるエンブレムの透過斜視図で裏面側（非外観面）よりみたところ。
【図１３】実施例２における記録装置の斜視図。
【図１４】実施例３における記録装置の斜視図。
【図１５】従来のプリンタを表す図。
【図１６】従来のプリンタにおけるフロントドアを表す透過斜視図。
【符号の説明】
【００４６】
１  フロントドア（外観部材）
２  エンブレム（薄板部材）
３  ロック解除ボタン
４  フロントカバーＬ
５  フロントカバーＲ
６  サイドカバーＬ
７  サイドカバーＲ
８  カードカバー
９  操作パネル
10  表示装置
11  両面原稿読み取り装置
12  ＡＤＦカバー
13  ＡＤＦトレイ
14  ＡＤＦベース
15  バックカバー
16  補助トレイ
17  ボトムフレーム
18  ロックピン
19  電磁ソレノイド
20  粘着テープ
21  従来例におけるフロントドア
22  従来例におけるエンブレム
23  従来例の本体
24  従来例の操作パネル
25  従来例の表示装置
26  従来例のボトムフレーム
27  実施例２におけるエンブレム
28  実施例２におけるフロントドア
29  実施例３におけるエンブレム
30  実施例３におけるフロントドア
【図１】
2007229926.tif 000003
【図２】
2007229926.tif 000004
【図３】
2007229926.tif 000005
【図４】
2007229926.tif 000006
【図５】
2007229926.tif 000007
【図６】
2007229926.tif 000008
【図７】
2007229926.tif 000009
【図８】
2007229926.tif 000010
【図９】
2007229926.tif 000011
【図１０】
2007229926.tif 000012
【図１１】
2007229926.tif 000013
【図１２】
2007229926.tif 000014
【図１３】
2007229926.tif 000015
【図１４】
2007229926.tif 000016
【図１５】
2007229926.tif 000017
【図１６】
2007229926.tif 000018